(57)【要約】【解決手段】  本発明は、ユーザーにより、特に手動で簡単に取り外し可能な長手ストリップを含む、環状チューブカバーに関する。更に詳しくは、本発明は、カバー本体（１）と長手ストリップ（６）とを含み、カバー本体と長手ストリップは実質的に互いに付着しない素材で製造され、長手ストリップ（６）はその長手側部の双方において、上部突起（２、８）と下部突起（３、９）とを含み、上部突起と下部突起との間にカバー本体（１）の長手縁部（５、７）のそれぞれが取り付けられる環状チューブカバーであって、当該カバーは、長手ストリップが実質的に環状チューブの円弧の形状であることを特徴とする。本発明はまた、当該カバーの製造方法及び使用方法に関する。【選択図】  図２
2017532505.tif 000002
【特許請求の範囲】
【請求項１】
カバー本体（１）と長手ストリップ（６）とを有し、前記カバー本体と前記長手ストリップは実質的に互いに付着しない素材で製造され、前記長手ストリップ（６）はその長手側部の双方において、上部突起（２、８）と下部突起（３、９）とを含み、前記上部突起と前記下部突起との間に前記カバー本体（１）の長手縁部（５、７）のそれぞれが取り付けられる環状チューブカバーであって、
前記長手ストリップは実質的に環状チューブの円弧の形状であることを特徴とする、
環状チューブカバー。
【請求項２】
前記長手ストリップ（６）は、前記カバー本体（１）を完成させ、前記カバー本体（１）の前記長手縁部（５、７）間の接合部の役割を果たす、
請求項１に記載の環状チューブカバー。
【請求項３】
前記長手ストリップ（６）は波形であり、その波形（１５）は前記カバー本体（１）の環状部の延長である、
請求項１または２に記載の環状チューブカバー。
【請求項４】
前記長手ストリップ（６）は湾曲しており、その曲率は前記カバー本体（１）の曲率と同一である、
請求項１から３のいずれか一項に記載の環状チューブカバー。
【請求項５】
前記長手ストリップ（６）の両側の端部（１３、１４）は、前記カバーの中心に対して、５度から１５０度の間の角度（α）を形成する、
請求項１から４のいずれか一項に記載の環状チューブカバー。
【請求項６】
前記長手ストリップ（６）の前記両側の端部（１３、１４）は、前記カバーの中心に対して、８０度から１５０度の間、または５度から３０度の間の角度（α）を形成する、
請求項５に記載の環状チューブカバー。
【請求項７】
前記角度（α）は前記カバーの前記縦軸（Ｘ）に沿って変更する、
請求項５または６に記載の、チューブカバー。
【請求項８】
前記上部及び下部突起（２、８及び３、９）は、前記長手ストリップ（６）の幅の１０％から５０％の間の深さの溝を形成する、
請求項１から７のいずれか一項に記載の環状チューブカバー。
【請求項９】
前記上部及び下部突起（２、８及び３、９）は、前記長手ストリップ（６）の幅の２０％から３０％の間に相当する、
請求項８に記載の環状チューブカバー。
【請求項１０】
前記突起（２、３、８、９）の厚み（ｅ）は、前記長手ストリップ（６）の厚み（ｆ）の５％から３０％の間に相当する、
請求項１から９のいずれか一項に記載の環状チューブカバー。
【請求項１１】
前記突起（２、３、８、９）の厚み（ｅ）は、前記長手ストリップ（６）の厚み（ｆ）の１０％から１５％の間に相当する、
請求項１０に記載の環状チューブカバー。
【請求項１２】
前記カバー本体（１）はポリアミドであり、前記長手ストリップ（６）はポリオレフィンである、
請求項１から１１のいずれか一項に記載の環状チューブカバー。
【請求項１３】
前記ポリオレフィンはポリプロピレンであり、前記ポリアミドはポリアミド６である、
請求項１２に記載の環状チューブカバー。
【請求項１４】
前記ストリップが引き抜かれると前記カバーが自動的に閉鎖するよう、２つの前記長手ストリップ（６）に対して横方向のプレストレスをかけながら製造される、
請求項１から１３のいずれか一項に記載の環状チューブカバー。
【請求項１５】
少なくとも１つの内部長手補強部（１６）を含む、
請求項１から１４のいずれか一項に記載の環状チューブカバー。
【請求項１６】
前記内部長手補強部（１６）は、前記環状部の前記頂点（１７）及び底部（１８）の間に位置する内部空間を充填することで形成され、素材の突出が２つの隣接する環状部間にブリッジ（１９）を形成する、
請求項１５に記載のチューブカバー。
【請求項１７】
前記カバー本体（１）の素材と前記長手ストリップ（６）の素材との共押出ステップを含む、
請求項１から１６のいずれか一項に記載の環状チューブカバーの製造方法。
【請求項１８】
前記長手ストリップ（６）の幅が軸方向に変化する、
請求項１７に記載の方法。
【請求項１９】
前記共押出ステップの次に三次元形成ステップが続く、
請求項１７または１８に記載の方法。
【請求項２０】
ワイヤー及びまたはケーブルを保護する、請求項１から１６のいずれか一項に記載の環状チューブカバーの使用。
【請求項２１】
前記長手ストリップ（６）が取り外される、請求項２０に記載の使用。
【発明の詳細な説明】
【技術分野】
【０００１】
本発明は、ユーザーにより、特に手動で、簡単に取り外し可能な長手ストリップを含む、環状チューブカバーに関する。本発明はまた、当該カバーの製造方法及び使用方法に関する。
【背景技術】
【０００２】
長年、環状チューブカバーは、特に自動車業界において、ワイヤー及びまたはケーブルの保護のために利用されてきた。
【０００３】
特許文献１は、柔軟な素材の長手ストリップを含む環状チューブカバーに関する。特に、当該カバーの第２実施形態において、特許文献１の図４、５に示すように、元来の製品の特性を変更しないようにその幅が限定されている、柔軟素材の長手ストリップに長手の切込みを作成することを開示する。当該切込みは、カバー内にワイヤーやケーブルの設置を可能にするスロットの製造のために設けられる。
【０００４】
特許文献２は、長手にスロットが設けられたチューブカバー、特に車両の電気ケーブルを保護するよう設計された環状チューブカバーの閉鎖手段に関する。当該閉鎖手段は、二重のＴの形状に製造される。特許文献２の図４に特に示すように、長手の中央バー１４に交互に取付けられる上部リッジ１２と下部リッジ１３からなってもよい。
【０００５】
特許文献３は、スロットを閉鎖するための閉鎖要素を提供するスプールを含む、長手にスロットが設けられた環状ケーブル保護チューブの製造装置に関する。当該閉鎖要素は図４に示されており、それがレール形状であることが見て取れる。
【０００６】
特許文献４は、チューブの各長手縁に溝を有する、スロットが設けられた環状チューブの形状を維持する要素に関する。溝の上部は、環状部間の空間に部分的に挿入されるよう、波形であってもよい。
【０００７】
特許文献５は、長手にスロットが設けられた円形カバーの閉鎖要素に関する。当該カバーは環状ではなく、スロットの長手縁からは、それぞれ長手に延長する溝を形成する、レール型上部が延びる。カバーを閉鎖状態に保つために、断続的閉鎖チャネルが設けられ、クリップの形状の閉鎖要素の２つの長手端部が溝と閉鎖チャネルの空隙とに挿入される。
【０００８】
特許文献６は、チューブ内に包含される電気ワイヤーを保護するため、また長手端部に設けられた遮断壁によりチューブの長手の移動を防止するため、スロットを有するチューブのスロットに挿入されるように設計された、補助要素を提案する。
【０００９】
上述の５つの文献で提案される全ての解決策は、特にチューブまたはカバーの硬化につながる。
【先行技術文献】
【特許文献】
【００１０】
【特許文献１】国際公報第０２/０８７０４８号
【特許文献２】ドイツ特許出願公開第１０ ２００４  ００５  ３０７号
【特許文献３】ドイツ特許出願公開第１０ ２００６ ０６２ ５４４号
【特許文献４】国際公報第２０１３／０６５３５２号
【特許文献５】欧州特許出願公開第２２３４２４号
【特許文献６】特開２００６―３２０１８１号公報
【特許文献７】国際公報第０２/０７８０４８号
【発明の概要】
【発明が解決しようとする課題】
【００１１】
本発明の主たる目的は、その開放が簡単であり、カバーの製造段階に続く段階であって、特にカバーの使用場所において開放を行うことができる、環状チューブカバーを提供することにある。
【００１２】
本発明によれば、当該目的は、カバー本体と長手ストリップからなる環状チューブカバーであって、カバー本体とストリップとは互いに実質的に付着しない素材により製造され、長手ストリップは、その長手側部の双方において、上部突起と下部突起とを含み、上部突起と下部突起の間にカバーの長手縁部のそれぞれが取り付けられ、当該カバーは長手ストリップが実質的に環状チューブの円弧の形状であることを特徴とする、環状チューブカバーにより達成される。
【００１３】
当該特徴により、本発明にかかる環状チューブカバーは、長手ストリップの存在にも係らず、その柔軟性を完全に保持することができる。
【００１４】
本発明のその他の特徴や利点を、模式的に以下のものを示す添付の図面を参照しつつ、以下に詳細に説明する。
【図面の簡単な説明】
【００１５】
【図１】図１は、長手ストリップの分離前の、本発明に係る環状チューブカバーの斜視図である。
【図２】図２は、長手ストリップを部分的に分離した後の、図１に示す環状チューブカバーの図である。
【図３】図３は、本発明の環状チューブカバーの、線Ａ−Ａに沿った長手断面図である。
【図４】図４は、図３の環状チューブカバーを右から見た図である。
【図５】図５は、図３の環状チューブカバーの、線Ｂ−Ｂに沿って左から見た図である。
【図６】図６は、図４の詳細図である。
【図７】図７は、図５の詳細図である。
【図８】図８は、本発明の好適な実施形態に係る環状チューブカバーの斜視図である。
【図９】図９は、図８のカバーの、長手の部分断面図である。
【図１０】図１０は、図８のカバーの、断面図である。
【発明の詳細な説明】
【００１６】
本発明にかかる環状チューブカバーの実施形態を、図１から４に示す。
【００１７】
図１に示すように、本発明にかかる環状チューブカバーは、従来の環状チューブカバーと似ている。環状チューブカバーは、基本的には、長手カバー本体１と、長手ストリップ６とを有する。
【００１８】
本発明によれば、カバー本体は、第１素材からなり、長手ストリップは第２素材からなる。
【００１９】
第１及び第２素材は実質的に互いに付着することなく、このためカバーの２つの部分はユーザーによって簡単に、特に手で、分離することができる。分離するためには、ユーザーは単にストリップの軸方向端部を、例えば片手の親指と人差し指の間で把持し、カバーを他方の手で保持し、軽くストリップを引っ張りカバーからはがすことで、カバー本体１から長手ストリップ６が長手に部分的に分離された、図２に示す状態を得られる。
【００２０】
長手ストリップの分離を可能とするためには、カバー本体に当該ストリップの機械的支持体を備える必要がある。機械的支持体は、カバーの通常の取り扱い、移動及び設置に十分であるが、同時に多くの力を使用することなく、特に手作業で分離を確実にできるよう、あまり固くないものである。
【００２１】
本発明によれば、当該結果は、長手ストリップの長手側部の両方に、上部突起及び下部突起を設け、それらの間にカバーの各長手縁が収容され、ある程度まで挟まれることにより得られる。
【００２２】
当該特徴は、図７から明らかであり、同図では以下を見て取れる。
−第一に、長手ストリップ６の左上部突起２、左下部突起３、及び左底部４により部分的に囲まれた、カバー本体１の左長手縁部５であり、長手ストリップ６の左上部突起２、左下部突起３、及び左底部４の３つの要素は左長手縁部５を収容する左側溝を形成する。
−第二に、長手ストリップ６の右上部突起８、右下部突起９、及び右底部１０により部分的に囲まれた、カバー本体１の右長手縁部７であり、長手ストリップ６の右上部突起８、右下部突起９、及び右底部１０の３つの要素は右長手縁部７を収容する右側溝を形成する。
【００２３】
本発明によれば、長手ストリップ６は実質的に、環状チューブの円弧の形状を有する。長手ストリップ６の中央部、即ち突起２、３、８、９のない長手ストリップ６は、環状チューブカバーの部分に完璧に類似し、その形状は、環状チューブの円弧であり、また円弧に一致する。
【００２４】
換言すれば、長手ストリップ６は、断面で円の円弧により形成され、カバーの縦軸に平行して長手に延び、波状にカバー本体１の環状部の形状と一致し、長手のスリットが存在しないかのように、カバーに完全に一致するようにカバーを延長する。
【００２５】
このため、図４から図７に示すように、長手ストリップ６はカバー本体１を完成させ、カバー本体１の左及び右長手縁部５及び７の接合部の役割を果たす。
【００２６】
図３に示すように、長手ストリップ６は波打っており、その波形１５は、カバー本体１の環状部に対応し、それらを繋ぐ。このため、長手ストリップ６は、先行技術が提案する解決策で行われるように、隙間、即ち環状部間の空間を塞ぐことはなく、これにより、環状チューブカバーがその柔軟性を完全に保持することを可能にする。
【００２７】
加えて、長手ストリップ６の外側及び内側表面１１及び１２は、カバー本体１同様に曲線を描くことが好ましい。これにより、特に図１に示すように、カバー本体が完全である、即ち、（明らかにその軸方向端部以外において）完全に閉鎖しているように見える。
【００２８】
カバー本体１と長手ストリップ６のそれぞれの比率は、カバー本体１が円の場合、断面（図４）で、断面の平面におけるカバーの縦軸Ｘの投影点に対応する点Ｘで表される、カバー本体１の中心において左及び右側端部１３、１４を接続する直線で形成される角度αで定義される。
【００２９】
当該角度αは、通常は５度から１５０度の間であり、好ましくは８０度から１５０度の間または５度から３０度の間である。
【００３０】
好ましい実施形態において、長手ストリップ６の幅は変化する、すなわち角度αはカバーの縦軸Ｘに沿って変化する。このため、幅は、縦軸Ｘに沿って規則的に増加または減少する、またはその他軸方向に変化する。
【００３１】
カバー本体１上の長手ストリップ６の突起２、３、８、９の寸法は、特に長手ストリップの剥ぎ取りにかかる力と使用する素材に依存する。寸法は、長手ストリップ６の上側突起２、８と下側突起３、９とで形成される溝の深さによって定義される。当該溝に、カバー本体１の長手縁部５、７が挿入され、通常、当該溝のそれぞれの底部４、１０と接触する。
【００３２】
当該深さは、通常、長手ストリップ６の幅の１０％から５０％の間、好ましくは２０％から３０％の間を占める。
【００３３】
突起の厚さｅは、通常、長手ストリップ６の厚さｆの５％から３０％の間、好ましくは１０％から１５％の間を占める。
【００３４】
使用される素材に関して、通常、カバー本体１はポリアミドから製造される。好ましくは、ポリアミド６が使用される。
【００３５】
本発明によれば、長手ストリップ６が製造される素材は、カバー本体の素材に付着しない（または可能な限り付着しない）。このため、通常はポリプロピレンまたはポリエチレンといったポリオレフィンが選択される。好ましくは、ポリプロピレンが使用される。
【００３６】
当然、ストリップの素材がカバー本体の素材に（実質的に）付着しない限り、適切な素材の他の組み合わせも適切である。
【００３７】
本発明の特に好適な実施形態によれば、カバーは、ストリップが外されるとカバーが自然に閉まるように、ストリップ６の２つの長手縁部に対して横方向のプレストレスをかけながら製造される。
【００３８】
本発明の他の好適な実施形態は、図８から図１０に示すように、本発明に係る環状チューブカバーは、少なくとも１つの長手内部補強部を含む。
【００３９】
特に図９に示すように、当該長手補強部は、環状部の頂点１７及び底部１８の間に位置する内部空間で、実質的にカバーの厚みを有する薄い突起である充填部１６により形成されてよく、２つの隣接する環状部間に素材１９のブリッジを形成する。
【００４０】
図１０に示すように、充填部１６は、断面において、もしＸ軸に接続したとすれば、５度から３０度の間の、好ましくは１０度から２０度の間の角度βを形成するよう、周囲方面または周方向に若干延長する。
【００４１】
製造
本発明に係る環状チューブカバーは、上述の２つの素材の共押出により既存の方法で製造可能である。当業者であれば、従来の環状チューブカバーの押出ヘッドを、必要な場所に第２の素材を導入できるよう、変更できるであろう。特に、当業者であれば、特許文献７及びまたは本出願に関するサーチレポートに引用された先行技術の教示内容を参照することができる。
【００４２】
当該変更は、最小限のものであり、当業者の能力の範疇にあり、製造は標準の押出と見做すことができる。
【００４３】
共押出の次は、これも従来技術である三次元形成の工程である。
【００４４】
既に開口しているカバーの形成は、環状部のシフトにつながり、それはその後閉じる段階の問題を提起するため、特に興味深い。また、既に製造されたカバーに従来通り開口部を開けることは、実質的な手段（切断装置等）を必要とする。
【００４５】
本発明にかかるカバーは、このため、閉鎖した状態で得られる。
【００４６】
使用
本発明にかかる環状チューブカバーは、このため、図１に示すように、従来のカバーと類似する。本発明にかかる環状チューブカバーは、このため、標準の方法で、ワイヤー及びまたはケーブルを保護するために用いることができる。
【００４７】
しかしながら、本発明によれば、それは独創的な方法で実施される。カバーは、使用場所まで閉じられた状態で搬送され、そこで開けられてから設置されることができる。代替的に、使用場所まで閉じられた状態で搬送され、その後開けながら同時に設置することもできる。当然、カバーは開けられ、使用場所で開けられてから設置されてもよい。
【００４８】
開放は、上述の通り、長手ストリップ６を単に引きはがすことで、特にユーザーにより手動で行われる。これは、従来のスロットを有する環状チューブカバーの場合と同様に、ユーザーがワイヤー及びまたはケーブルを滑り込ませられる長手スリットを形成する効果がある。
【００４９】
このため、本発明によれば、カバーの解放は、その使用時にユーザーにより行われることができる。
【００５０】
加えて、本発明によって、カバーのデザインまたは製造時に決定される、可変幅の長手の開口を有するカバーを製造することが可能となる。
【図１】
2017532505.tif 000003
【図２】
2017532505.tif 000004
【図３】
2017532505.tif 000005
【図４】
2017532505.tif 000006
【図５】
2017532505.tif 000007
【図６】
2017532505.tif 000008
【図７】
2017532505.tif 000009
【図８】
2017532505.tif 000010
【図９】
2017532505.tif 000011
【図１０】
2017532505.tif 000012
【国際調査報告】
2017532505.tif 000013
2017532505.tif 000014
2017532505.tif 000015
2017532505.tif 000016
2017532505.tif 000017
2017532505.tif 000018